(57)【特許請求の範囲】
【請求項１】
スコープ位置規制部と位置決め棒を有し、
前記スコープ位置規制部は、円盤状に形成され、内部にマイクロスコープの対物レンズの前面と係合する着座面と、該着座面の外周に設けられ、対物レンズの外周面と係合する位置決め面とで形成された案内面を有し、外周面の一部には把持手段が設けられ、
前記位置決め棒は、伸縮棒と該伸縮棒の先端に設けられた直径が小さいガイド球を有し、前記スコープ位置規制部の案内面とは反対側で前記着座面の中心に対応する位置に取り付けられていることを特徴とするマイクロスコープのピント合わせ治具。
【請求項２】
前記位置決め棒の長さをマイクロスコープの対物レンズの焦点距離に応じて可変することを特徴とする請求項１記載のマイクロスコープのピント合わせ治具。
【発明の詳細な説明】
【技術分野】
【０００１】
この発明は、各種診療に使用するマイクロスコープのピント合わせ治具、特にピント合わせの容易化に関するものである。
【背景技術】
【０００２】
近年、歯科診療や外科診療等の各種診療においては、高倍率のマイクロスコープを使用して精密な診療を行うことが増加している。このマイクロスコープを使用して診療を行う場合、患者の近傍にマイクロスコープを配置して患部に対してピント合わせを行ってからマイクロスコープを介して患部を観察しながら診断と治療を行う。このマイクロスコープを使用して診療する場合、マイクロスコープの取り扱いに熟練した医師以外の者はピント合わせを行うのに多くの時間を要した。
【０００３】
このピント合わせを行い易くするための治具として特許文献１には、マイクロスコープの鏡筒の対物レンズ側の外周部にねじ込んで装着する取付部と、この取付部の外周部に突出して設けられ、対物レンズの焦点距離より若干長い１本足の脚部を有するピント合わせ治具が開示されている。そして脚部先端を被写体の近傍に当て、これを支点としてマイクロスコープを傾けてピント合せを行っている。
【０００４】
また、特許文献２には、マイクロスコープの鏡筒の対物レンズ側の外周部にねじ込んで装着する固定キャップと、固定キャップの外周面に対して摺動自在な可動キャップと、可動キャップの先端部に取り付けた調整キャップを有し、調整キャップの先端部の位置が対物レンズの異なる焦点位置と一致する２個所の位置に可変できるようになるように可動キャップを固定キャップに係止可能としたフォーカスキャップからなるピント合わせ装置が開示されている。
【発明の概要】
【発明が解決しようとする課題】
【０００５】
特許文献１に示されたピント合わせ治具は、対物距離が異なるレンズを利用する場合にはピント合わせ治具を交換する必要がある。また、複雑な凹凸部を有する被写体の観察にはピント合わせ治具を適用することは困難である。
【０００６】
また、特許文献１に示されたピント合わせ治具や特許文献２に示されたピント合わせ装置は、マイクロスコープの鏡筒の対物レンズ側の外周部にピント合わせ治具やフォーカスキャップの固定キャップをねじ込んで装着するため、鏡筒の対物レンズ側の外周部にねじ加工する必要があり、このねじ加工がされていない鏡筒を有するマイクロスコープに適用することはできなかった。
【０００７】
さらに、特許文献１に示されたピント合わせ治具や特許文献２に示されたピント合わせ装置は、マイクロスコープの鏡筒にピント合わせ治具やフォーカスキャップが取り付けられているため、医療用に使用して患部に対してピント合わせを行うときに、ピント合わせ治具やフォーカスキャップの先端部が患部に突き当たって患部を傷つける可能性もある。
【０００８】
この発明は、このような問題を解消し、各種診療に使用するマイクロスコープのピント合わせを容易に、かつ安定して行うことができるマイクロスコープのピント合わせ治具を提供することを目的とするものである。
【課題を解決するための手段】
【０００９】
この発明のマイクロスコープのピント合わせ治具は、スコープ位置規制部と位置決め棒を有し、前記スコープ位置規制部は、円盤状に形成され、内部にマイクロスコープの対物レンズの前面と係合する着座面と、該着座面の外周に設けられ、対物レンズの外周面と係合する位置決め面とで形成された案内面を有し、外周面の一部には把持手段が設けられ、前記位置決め棒は、伸縮棒と該伸縮棒の先端に設けられた直径が小さいガイド球を有し、前記スコープ位置規制部の案内面とは反対側で前記着座面の中心に対応する位置に取り付けられていることを特徴とする。
【００１０】
前記位置決め棒の長さをマイクロスコープの対物レンズの焦点距離に応じて可変することを特徴とする。
【発明の効果】
【００１１】
この発明は、マイクロスコープのピント合わせ治具の位置決め棒のガイド球を撮像する被写体の位置に配置して位置決め棒が観察方向と一致するようにピント合わせ治具を位置決めし、このピント合わせ治具の位置決め棒の延長線方向からマイクロスコープの対物レンズの外面をピント合わせ治具のスコープ位置規制部の内面に設けた案内面に嵌め込んでマイクロスコープを位置決めして固定した後、ピント合わせ治具をマイクロスコープから取り外すことにより、マイクロスコープの被写体に対するピンと合わせを熟練者でなくとも短時間で行うことができる。また、ピント合わせ治具の位置決め棒は伸縮自在であるから焦点距離が異なる対物レンズを使用した場合でも対応することができる。
【図面の簡単な説明】
【００１２】
【図１】この発明のマイクロスコープのピント合わせ治具の構成図である。
【図２】マイクロスコープの外観図である。
【図３】位置決め棒の伸縮棒の構成を示す断面図である。
【図４】ピント合わせ治具を使用したマイクロスコープのピント合わせ状態を示す図である。
【発明を実施するための形態】
【００１３】
図１は、この発明のマイクロスコープのピント合わせ治具の構成を示し、（ａ）は正面図、（ｂ）は上面図、（ｃ）は断面図である。このピント合わせ治具１を使用してピント合わせを行う例えば医療用のマイクロスコープ２０は、図２の外観図に示すように、先端部に対物レンズ２１を有し、後端部に接眼レンズ２２を有する鏡筒２３に調整ハンドル２４とＺ軸ダイヤル２５が設けられ、アーム２６により回動自在に保持されて位置が可変できるようになっている。
【００１４】
ピント合わせ治具１は、スコープ位置規制部２と位置決め棒３を有する。スコープ位置規制部２は円盤状に形成され、内部にマイクロスコープ２０の対物レンズ２１の前面と係合する着座面４と、着座面４の外周に設けられ、対物レンズ２１の外周面と係合する位置決め面５とで形成された案内面６を有する。この案内面６の形状はマイクロスコープ２０の対物レンズ２１の外面形状に応じて決定される。スコープ位置規制部２の外周面の一部には把持手段７が設けられている。位置決め棒３は伸縮棒８と、伸縮棒８の先端に設けられた直径が小さいガイド球９を有し、スコープ位置規制部２の案内面６とは反対側で着座面４の中心に対応する位置に取り付けられている。伸縮棒８は、例えば図３の断面図に示すように、スコープ位置規制部２に取り付けられ、先端部に外周面にねじが形成された連結ねじ部１０を有する固定管１１と、固定管１１に挿入された可動軸１２及びロック手段１３とを有し、任意の長さに伸縮して固定される。この伸縮棒８のロック手段１３は、例えば可動軸１２の外周面に摺動自在に取り付けられた台形状の連結コマ１４と、可動軸１２側から固定管１１の連結ねじ部１０にねじ込まれて連結コマ１４を可動軸１２の半径方向に加圧して可動軸１２を固定管１１に固定するロックナット１５を有する。
【００１５】
このピント合わせ治具１を使用してマイクロスコープ２０を被観察部に対してピント合わせを行って位置きめするときの動作を図４のピント合わせ状態図を参照して説明する。
【００１６】
まず、ピント合わせ治具１の着座面４の中心から位置決め棒３のガイド球９の先端までの長さが撮像するマイクロスコープ２０の対物レンズ２１の焦点距離と一致するように位置決め棒３の長さを調節して固定する。その後、観察者は撮像する被写体３０の位置に位置決め棒３のガイド球９を配置してピント合わせ治具１の位置決め棒３が観察方向と一致するようにピント合わせ治具１を位置決めする。この状態で補助者はマイクロスコープ２０の位置を可変してピント合わせ治具１の位置決め棒３の延長線方向から対物レンズ２１の外面をピント合わせ治具１のスコープ位置規制部２の内面に設けた案内面６に嵌め込んでマイクロスコープ２０を位置決めして固定する。マイクロスコープ２０の位置決めを行った後、ピント合わせ治具１がガイド球９側から傾けられる場合はピント合わせ治具１をガイド球９側から傾けてピント合わせ治具１をマイクロスコープ２０から取り外し、ピント合わせ治具１が傾けられない場合は位置決め棒３の長さを短くしてピント合わせ治具１をマイクロスコープ２０から取り外す。
【００１７】
このようにしてマイクロスコープ２０を対物レンズ２１の被写体３０に対して簡単に焦点合わせをすることができ、熟練者でなくとも短時間でピント合わせを行うことができる。また、ピント合わせ治具１の位置決め棒３は伸縮自在であるから焦点距離が異なる対物レンズ２１を使用した場合でも対応することができる。
【符号の説明】
【００１８】
１；ピント合わせ治具、２；スコープ位置規制部、３；位置決め棒、４；着座面、
５；位置決め面、６；案内面、７；把持手段、８；伸縮棒、９；ガイド球、
１０；連結ねじ部、１１；固定管、１２；可動軸、１３；ロック手段、
１４；連結コマ、１５；ロックナット、２０；マイクロスコープ、
２１；対物レンズ、３０；被写体。
【先行技術文献】
【特許文献】
【００１９】
【特許文献１】特開平４−８６７２１号公報
【特許文献２】特開平９−４６５６７号公報
【要約】
【課題】各種診療に使用するマイクロスコープのピント合わせを容易に、かつ安定して行う。
【解決手段】ピント合わせ治具１の位置決め棒３のガイド球９を撮像する被写体３０の位置に配置して位置決め棒３が観察方向と一致するようにピント合わせ治具１を位置決めし、位置決めしたピント合わせ治具１の位置決め棒３の延長線方向からマイクロスコープ２０の対物レンズ２１の外面をピント合わせ治具１のスコープ位置規制部２内面に設けた案内面６に嵌め込んでマイクロスコープ２０を位置決めして固定した後、ピント合わせ治具１をマイクロスコープ２０から取り外す。
【選択図】    図４【図１】
0004707776.tif 000002
【図２】
0004707776.tif 000003
【図３】
0004707776.tif 000004
【図４】
0004707776.tif 000005